(57)【要約】【課題】矢紙を設けたスピーカユニットのキャビネットへの取付け作業性を改善する。【解決手段】金属製のフレーム3を有するスピーカユニット2の周部は、キャビネット1上のボス4にネジ6にて取り付けられる。ボス4の側方には、合成樹脂製の突片5が設けられ、フレーム3はボス4にネジ止めされる状態で、周縁部が突片5に食い込んで、突片5による上向きの反力を受ける。ボス4の側方には、ボス4よりも低い壁片40が設けられ、フレーム3の裏面には、矢紙21が設けられている。矢紙21が壁片40の上端に接した状態で、フレーム3とボス4の上端との間には、隙間Ｈ１が形成されている。【選択図】図４
2007251703.tif 000002
【特許請求の範囲】
【請求項１】
金属製のフレーム(３)を有する被取付け体の周部をキャビネット(１)上のボス(４)にネジ(６)にて取り付ける構造であって、
ボス(４)の側方には、フレーム(３)よりも柔らかな材質で形成された突片(５)が設けられ、フレーム(３)はボス(４)にネジ止めされる状態で、周縁部が突片(５)に食い込んで、突片(５)による上向きの反力を受けることを特徴とする被取付け体の取付け構造。
【請求項２】
ボス(４)の側方には、ボス(４)よりも低い壁片(40)が設けられ、フレーム(３)の裏面には、封止体が設けられ、封止体が壁片(40)の上端に接した状態で、フレーム(３)とボス(４)の上端との間には、隙間Ｈ１が形成されている、請求項１に記載の被取付け体の取付け構造。
【請求項３】
被取付け体はスピーカユニット(２)であり、封止体は壁片(40)の上端に接して、音漏れを防ぐ矢紙(21)であり、フレーム(３)の隅部が順にネジ(６)止めされる、請求項１又は２に記載の取付け体の取付け構造。
【請求項４】
請求項１乃至３の何れかに記載の取付け構造を用いたテレビジョン受像機。
【発明の詳細な説明】
【技術分野】
【０００１】
本発明は、金属製のフレームを有する被取付け体をキャビネットに取り付ける構造、具体的には金属製のフレームを有するスピーカユニットを、テレビジョン受像機のキャビネットに締結する構造に関する。
【背景技術】
【０００２】
スピーカユニットを、テレビジョン受像機のキャビネットに、ネジにて締結する構造は従来から知られている(特許文献１参照)。図６は、出願人が提案した従来のテレビジョン受像機のキャビネット(１)とスピーカユニット(２)の斜視図である。キャビネット(１)はディスプレイが嵌まる大開口(10)を開設し、該大開口(10)の下方にスピーカユニット(２)を受ける略楕円形の筒体である壁片(40)を設けている。壁片(40)の周部には中空のボス(４)(４)が立設され、該ボス(４)(４)にスピーカユニット(２)がネジ(６)止めされる。
図７は、スピーカユニット(２)を裏から見た斜視図である。スピーカユニット(２)は、金属製で矩形状のフレーム(３)上にスピーカ(20)を設けて構成され、該フレーム(３)の裏面に矢紙(21)が張られている。矢紙(21)はスピーカユニット(２)がボス(４)(４)に取り付けられたときに、スピーカユニット(２)と壁片(40)の周部との隙間を塞ぎ、音漏れ等を防ぐ封止体であり、所謂パッキングの役目を有する。フレーム(３)の４つの隅部には、ボス(４)(４)に対応して、ネジ(６)が貫通する透孔(30)(30)が開設されている。
【０００３】
図８は、スピーカユニット(２)をボス(４)(４)に取り付ける状態を示す図であり、図６をＡ方向から見ている。矢紙(21)は壁片(40)の周縁上端に接し、この状態でフレーム(３)の裏面とボス(４)の上端とは隙間Ｈ１が形成されている。フレーム(３)の外周部はボス(４)から離れている。
フレーム(３)は４本のネジ(６)(６)にてボス(４)(４)に固定されるが、一度に全てのネジ(６)(６)を締結できないから、先ず図６に示す１つのネジ(６)から締結される。この後に、順に他の３本のネジ(６)(６)を取り付ける。４本のネジ(６)(６)にて隙間Ｈ１分だけ、スピーカユニット(２)をねじ込む。矢紙(21)はネジ(６)の締結力にて、壁片(40)の周部に付勢される。これにより、音漏れ等を防ぎ、良好な音質を得ている。
【０００４】
【特許文献１】特開２００１−３０９２７７号公報
【発明の開示】
【発明が解決しようとする課題】
【０００５】
従来にあっては、図９に示すように、フレーム(３)の１つの隅部に対応した１本のネジ(６)を締結すれば、隙間Ｈ１分だけフレーム(３)を押し下げるから、フレーム(３)の他の隅部が浮き上がる。これでは、他の透孔(30)とボス(４)との取り付けにズレが生じて、次のネジ(６)止め作業が困難となる。その結果として、製造工程に於けるスピーカユニット(２)の取付け作業性が悪くなる。この場合、隙間Ｈ１を極力小さくして、フレーム(３)の他の隅部が浮き上がる量を小さくすることも考えられる。しかし、矢紙(21)は厚み公差が大きく、隙間Ｈ１を一定寸法に抑えることができない。
本発明の目的は、矢紙を設けたスピーカユニットのキャビネットへの取付け作業性を改善することにある。
【課題を解決するための手段】
【０００６】
金属製のフレーム(３)を有する被取付け体の周部をキャビネット(１)上のボス(４)にネジ(６)にて取り付ける構造であって、
ボス(４)の側方には、フレーム(３)よりも柔らかな材質で形成された突片(５)が設けられ、フレーム(３)はボス(４)にネジ止めされる状態で、周縁部が突片(５)に食い込んで、突片(５)による上向きの反力を受ける。
ボス(４)の側方には、ボス(４)よりも低い壁片(40)が設けられ、フレーム(３)の裏面には、封止体が設けられ、封止体が壁片(40)の上端に接した状態で、フレーム(３)とボス(４)の上端との間には、隙間Ｈ１が形成されている。
【発明の効果】
【０００７】
被取付け体の封止体、具体的には矢紙(21)が壁片(40)の上端に接した状態で、フレーム(３)とボス(４)の上端との間には、隙間Ｈ１が形成されている。
フレーム(３)をボス(４)にネジ(６)止めする際に、隙間Ｈ１分だけフレーム(３)を下向きに押し込むが、このときフレーム(３)の周縁部が突片(５)に食い込む。フレーム(３)は突片(５)による上向きの反力を受ける。従って、フレーム(３)は浮き上がることを規制される。これにより、被取付け体、具体的にはスピーカユニット(２)のネジ(６)止め作業性が良くなり、スピーカユニット(２)の取付け作業性を改善することが出来る。
【発明を実施するための最良の形態】
【０００８】
以下、本発明の一形態を図を用いて、詳述する。
図１は、テレビジョン受像機のキャビネット(１)とスピーカユニット(２)の斜視図である。キャビネット(１)はディスプレイが嵌まる大開口(10)を開設し、該大開口(10)の下方にスピーカユニット(２)を受ける略楕円形の筒体である壁片(40)を設けている。壁片(40)の周部には中空のボス(４)(４)が立設され、該ボス(４)(４)にスピーカユニット(２)がネジ(６)止めされる。壁片(40)の側方には、突片(５)が壁片(40)に接して設けられている。キャビネット(１)、壁片(40)、突片(５)は合成樹脂にて形成される。
尚、スピーカユニット(２)の構成は従来と同じであり、金属製で矩形状のフレーム(３)上にスピーカ(20)を設けて構成され、該フレーム(３)の裏面に矢紙(21)が張られている。矢紙(21)が壁片(40)に密着して、スピーカユニット(２)の音漏れを防ぎ、良好な音質を得ることができる。フレーム(３)の４つの隅部に、ネジ(６)が貫通する透孔(30)(30)が開設されている。フレーム(３)が金属製で、突片(５)が合成樹脂製であるから、フレーム(３)は突片(５)よりも堅い。
【０００９】
図２は、スピーカユニット(２)をボス(４)に取り付けようとする状態を示す正面図であり、図３は、フレーム(３)の１の隅部の拡大図である。フレーム(３)の周縁部は下向きに折曲されて、突片(５)の上端に接する。
フレーム(３)をボス(４)にネジ(６)止めする際には、従来と同様に、矢紙(21)が壁片(40)の上端に接してから、隙間Ｈ１(図８参照)分だけフレーム(３)を下向きに押し込む。図４に示すように、先ずフレーム(３)の一隅部をネジ(６)止めし、フレーム(３)を下向きに押し込む。ネジ(６)締結中に、フレーム(３)の周縁部下端が突片(５)に食い込む。フレーム(３)は突片(５)よりも堅いから突片(５)が変形し、フレーム(３)は突片(５)の変形によって上向きの反力を受ける。
【００１０】
フレーム(３)は突片(５)による上向きの反力を受けているから、フレーム(３)の他の隅部は浮き上がることを規制される。これにより、フレーム(３)はネジ(６)止め時に、浮き上がることを防止される。この結果、スピーカユニット(２)のネジ(６)止め作業性が良くなり、スピーカユニット(２)の取付け作業性を改善することが出来る。
４本全てのネジ(６)(６)を取り付ければ、図５に示すように、スピーカユニット(２)のキャビネット(１)への取り付けが完了する。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例ではネジ(６)止めされる被取付け体として、スピーカユニット(２)を例示したが、複数本のネジ(６)(６)にて締結される物であれば、スピーカユニット(２)の他でもよい。
即ち、本発明の技術的思想は、被取付け体の一端部をネジ(６)止めする際に、被取付け体の他端部の浮き上がりを防止するあらゆる構成に適用可能である。
【図面の簡単な説明】
【００１２】
【図１】キャビネットとスピーカユニットの斜視図である。
【図２】スピーカユニットをボスに取り付けようとする状態を示す正面図である。
【図３】フレームの１の隅部の拡大図である。
【図４】フレームの一隅部をネジ止めする状態を示す斜視図である。
【図５】スピーカユニットのキャビネットへの取付け状態を示す正面図である。
【図６】従来のテレビジョン受像機のキャビネットとスピーカユニットの斜視図である。
【図７】スピーカユニットを裏から見た斜視図である。
【図８】スピーカユニットをボスに取り付ける状態を示す図である。
【図９】フレームの他の隅部が浮き上がる状態を示す図である。
【符号の説明】
【００１３】
(１)  キャビネット
(２)  スピーカユニット
(３)  フレーム
(４)  ボス
(５)  突片
(６)  ネジ
(21)  矢紙
【図１】
2007251703.tif 000003
【図２】
2007251703.tif 000004
【図３】
2007251703.tif 000005
【図４】
2007251703.tif 000006
【図５】
2007251703.tif 000007
【図６】
2007251703.tif 000008
【図７】
2007251703.tif 000009
【図８】
2007251703.tif 000010
【図９】
2007251703.tif 000011